(57)【特許請求の範囲】
【請求項１】
広告主の広告に関する情報と前記広告に対して登録されたキーワードとを互いに関連付けて格納及び保持し、前記広告主の商品データベースと連動する検索広告データベースと、
前記広告主から入力された前記キーワードの期間情報に基づいて、前記登録されたキーワードに対する予想表示期間を設定する予想表示期間設定部と、
前記商品データベースから前記広告と関連する商品に関する情報を抽出し、前記抽出された情報のうち前記広告と関連する商品の商品販売期間と、前記設定された予想表示期間とを比較して、前記広告の表示の可否を決定する広告検収部と、を含み、
前記広告に関する情報は、前記広告に対する題名及び説明語句を含み、
前記予想表示期間設定部は、
前記広告主からさらに入力される前記題名及び説明語句に含まれる少なくとも１つの文字列に対する文字列期間情報に基づいて、前記少なくとも１つの文字列に対する予想表示期間をさらに設定し、
前記広告検収部は、
前記商品販売期間と前記少なくとも１つの文字列に対する予想表示期間とを比較して、前記文字列を含む前記題名及び説明語句の表示の可否を決定することをさらに含む検索広告予約表示システム。
【請求項２】
前記キーワードの期間情報は、前記登録されたキーワードと関連する広告の表示可能な期間の開始時刻及び終了時刻に関する情報を含み、
前記予想表示期間設定部は、
前記開始時刻及び前記終了時刻に基づいて前記登録されたキーワードに対する予想表示期間を設定する
ことを特徴とする請求項１に記載の検索広告予約表示システム。
【請求項３】
前記少なくとも１つの文字列は、前記少なくとも１つの文字列に対して設定された予想表示期間に前記広告が表示される時、前記題名及び説明語句に含まれて共に表示される
ことを特徴とする請求項２に記載の検索広告予約表示システム。
【請求項４】
前記文字列期間情報は、前記少なくとも１つの文字列が表示可能な期間の開始時刻及び終了時刻に関する情報を含み、
前記予想表示期間設定部は、
前記開始時刻及び前記終了時刻によって設定される期間を前記少なくとも１つの文字列に対する予想表示期間に設定する
ことを特徴とする請求項３に記載の検索広告予約表示システム。
【請求項５】
前記商品に関する情報は、ライク検索によって前記登録されたキーワードと前記商品の商品名または前記商品のモデル名とを比較して前記商品データベースから抽出される
ことを特徴とする請求項４に記載の検索広告予約表示システム。
【請求項６】
表示可能なものとして決定された広告に関する情報と前記予想表示期間に関する情報とが広告表示サーバに伝えられ、
前記予想表示期間に前記広告表示サーバに入力されたユーザの検索語と前記登録されたキーワードとが互いに対応する場合、前記広告に関する情報が前記ユーザに表示される
ことを特徴とする請求項１から請求項５のうちいずれか１項に記載の検索広告予約表示システム。
【請求項７】
ユーザから入力された検索語と対応するキーワード及び前記検索語が入力された時刻に対応する予想表示期間と関連付けて格納された広告を前記検索広告データベースから検索する広告検索部と、
前記検索された広告を前記ユーザに提供する広告提供部と、
をさらに含むことを特徴とする請求項１から請求項６のうちいずれか１項に記載の検索広告予約表示システム。
【請求項８】
前記キーワードの期間情報は、基準時刻及び期間単位に関する情報を含み、
前記予想表示期間設定部は、
前記基準時刻から前記期間単位ごとに順次決定される期間に対して前記広告主によって登録された互いに異なるキーワードをマッチングして、前記互いに異なる各キーワードに対する予想表示期間を設定する
ことを特徴とする請求項１に記載の検索広告予約表示システム。
【請求項９】
前記文字列期間情報は、基準時刻及び期間単位に関する情報を含み、
前記予想表示期間設定部は、
前記基準時刻から前記期間単位ごとに順次決定される期間に対して互いに異なるキーワードをマッチングして、前記少なくとも１つの文字列に対する予想表示期間を設定する
ことを特徴とする請求項３または請求項４に記載の検索広告予約表示システム。
【請求項１０】
前記互いに異なるキーワードは、
前記広告主によって登録されたキーワードを含むか、
前記広告主の商品データベースに含まれる商品の商品名またはモデル名を含むか、
または、前記商品名または前記モデル名に含まれるキーワードを含む
ことを特徴とする請求項９に記載の検索広告予約表示システム。
【請求項１１】
検索広告予約表示方法であって、
コンピュータにより実行されるステップが、
広告主の広告に関する情報と前記広告に対して登録されたキーワードとを互いに関連付けて、前記広告主の商品データベースと連動する検索広告データベースに格納及び保持するステップと、
前記広告主から入力された前記キーワードの期間情報に基づいて前記登録されたキーワードに対する予想表示期間を設定するステップと、
前記商品データベースから前記広告と関連する商品に関する情報を抽出して、前記抽出された情報のうち前記広告と関連する商品の商品販売期間と、前記設定された予想表示期間とを比較して前記広告の表示の可否を決定するステップと、
を含み、
前記広告に関する情報は、前記広告に対する題名及び説明語句を含み、
前記予想表示期間を設定するステップは、
前記広告主からさらに入力される前記題名及び説明語句に含まれる少なくとも１つの文字列に対する文字列期間情報に基づいて、前記少なくとも１つの文字列に対する予想表示期間をさらに設定することを含み、
前記広告の表示の可否を決定するステップは、
前記商品販売期間と前記少なくとも１つの文字列に対する予想表示期間とを比較して、前記文字列を含む前記題名及び説明語句の表示の可否を決定することをさらに含む検索広告予約表示方法。
【請求項１２】
前記キーワードの期間情報は、前記登録されたキーワードと関連する広告の表示可能な期間の開始時刻及び終了時刻に関する情報を含み、
前記予想表示期間を設定するステップは、
前記開始時刻及び前記終了時刻に基づいて前記登録されたキーワードに対する予想表示期間を設定する
ことを特徴とする請求項１１に記載の検索広告予約表示方法。
【請求項１３】
表示可能なものとして決定された広告に関する情報と前記予想表示期間に関する情報とが広告表示サーバに伝えられ、
前記予想表示期間に前記広告表示サーバに入力されたユーザの検索語と前記登録されたキーワードとが互いに対応する場合、前記広告に関する情報が前記ユーザに表示される
ことを特徴とする請求項１１または１２に記載の検索広告予約表示方法。
【請求項１４】
ユーザから入力された検索語と対応するキーワード及び前記検索語が入力された時刻に対応する予想表示期間と関連付けて格納された広告を前記検索広告データベースから検索するステップと、
前記検索された広告を前記ユーザに提供するステップと、
をさらに含むことを特徴とする請求項１１から請求項１３のうちいずれか１項に記載の検索広告予約表示方法。
【請求項１５】
請求項１１から請求項１４のうちいずれか１項の方法をコンピュータに実行させるプログラムを記録したコンピュータ読み出し可能な記録媒体。
【発明の詳細な説明】
【技術分野】
【０００１】
本発明は、予約された広告を表示するシステム及びその方法に関する。
【背景技術】
【０００２】
ウェブを用いた広告において、ソーシャルコマース（ｓｏｃｉａｌ  ｃｏｍｍｅｒｃｅ）のように、日別または時間別に販売商品が変わる場合や、大量の商品を管理及びプロモーションをしつつ日別または時間別に商品販売のための広告を提示する場合に、検索広告と共にキーワード広告を活用する事例が、増えている。しかし、日別または時間別に販売商品が変わる場合、対象広告を全て登録しておき、手動で、時間設定の内訳や広告実施の日時を管理しなければならないという問題がある。
【０００３】
検索広告と関連する従来技術として、広告主によって広告主の広告が表示される時間が入力されると、当該時間に広告主の広告を表示する技術が、存在する。しかし、このような従来技術は、広告に対して予め設定された時間に当該広告を表示するにすぎず、ユーザによって入力されるキーワードに応じて広告を表示する検索広告には適していないという問題がある。例えば、一定時間が過ぎた後に広告主によって販売される商品が変更された場合、当該商品に対する広告と関連するキーワードを変更する必要がある。しかし、従来技術では、単純に、特定広告の表示時間だけが設定されるため、依然として、当該表示時間には予め設定された商品に対する広告だけしか表示されないという問題がある。それだけでなく、販売予定商品に対する広告が登録された場合、当該広告に対して登録されたキーワードを利用可能な期間と広告主の商品販売予定期間とが互いに一致する場合にのみ広告の表示が可能である一方、このような広告表示のための広告の検収が難しいという問題点がある。
【０００４】
本明細書では、検索広告を効果的に予約表示することのできるシステム及びその方法を提供する。
【発明の概要】
【発明が解決しようとする課題】
【０００５】
本発明は、日別または時間別に実際販売する商品が変わる場合にも効率的に検索広告を提供することのできる検索広告予約表示システム及びその方法を提供する。
【０００６】
また、本発明は、広告主がキーワードを登録する場合、キーワードの表示時間または広告の説明語句（Ｔｉｔｌｅ  ＆  Ｄｅｓｃｒｉｐｔｉｏｎ）内に含まれる特定語句の表示時間を設定するようにすることにより、効率的に検索広告を提供できる検索広告予約表示システム及びその方法を提供する。
【０００７】
また、本発明は、広告主がキーワードを登録する場合、特定日または特定時間に表示される広告のキーワードや当該広告の説明語句内に含まれる特定語句が自動で変更されるように設定することによって、効率的に検索広告を提供できる検索広告予約表示システム及びその方法を、提供する。
【０００８】
また、本発明は、広告主サイトの商品データベースと検索広告が登録される検索広告データベースとを連動させて販売予定の商品の商品データを手軽に更新して、同時に、予約表示時間が指定された広告に対応したキーワードや説明語句に対して表示可能期間と商品販売期間を互いに比較することによって、効率的に広告を検収できる検索広告予約表示システム及びその方法を提供する。
【課題を解決するための手段】
【０００９】
本発明の一実施形態によれば、広告主の広告に関する情報と広告に対して登録されたキーワードとを互いに関連付けて格納及び保持する検索広告データベースと、広告主から入力されたキーワードの期間情報に基づいて、登録されたキーワードに対する予想表示期間を設定する予想表示期間設定部と、広告と関連する商品の商品販売期間と設定された予想表示期間とを比較して広告の表示の可否を決定する広告検収部とを含む検索広告予約表示システムが、提供される。
【００１０】
また、キーワードの期間情報は、登録されたキーワードと関連する広告の表示可能な期間の開始時刻及び終了時刻に関する情報を、含んでもよい。この場合、予想表示期間設定部は、開始時刻及び終了時刻に基づいて登録されたキーワードに対する予想表示期間を、設定してもよい。
【００１１】
また、キーワードの期間情報は、基準時刻及び期間単位に関する情報を含んでもよい。この場合、予想表示期間設定部は、基準時刻から期間単位ごとに順次決定される期間に対して、広告主によって登録された互いに異なるキーワードをマッチングして、互いに異なる各キーワードに対する予想表示期間を設定してもよい。
【００１２】
また、広告に関する情報は、広告に対する題名及び説明語句（Ｔｉｔｌｅ  ＆  Ｄｅｓｃｒｉｐｔｉｏｎ、Ｔ＆Ｄ）を、少なくとも含んでもよい。この場合、予想表示期間設定部は、広告主からさらに入力される文字列期間情報に基づいて題名及び説明語句に含まれる少なくとも１つの文字列に対する予想表示期間を、さらに設定してもよい。
【００１３】
また、少なくとも１つの文字列は、少なくとも１つの文字列に対して設定された予想表示期間に広告が表示されるとき、題名及び説明語句に含まれて共に表示されてもよい。
【００１４】
また、文字列期間情報は、少なくとも１つの文字列が表示可能な期間の開始時刻及び終了時刻に関する情報を、含んでもよい。この場合、予想表示期間設定部は、開始時刻及び終了時刻によって設定される期間を、少なくとも１つの文字列に対する予想表示期間に、設定してもよい。
【００１５】
また、少なくとも１つの文字列は、文字列期間情報と共に広告主から入力されてもよい。
【００１６】
また、文字列期間情報は、基準時刻及び期間単位に関する情報を、含んでもよい。この場合、予想表示期間設定部は、基準時刻から期間単位ごとに順次決定される期間に対して、互いに異なるキーワードをマッチングして、少なくとも１つの文字列に対する予想表示期間を設定してもよい。
【００１７】
また、互いに異なるキーワードは、広告主によって登録されたキーワードを含んでもよい。
【００１８】
また、互いに異なるキーワードは、広告主の商品データベースに含まれる商品の商品名またはモデル名を含むか、または商品名またはモデル名に含まれるキーワードを含んでもよい。
【００１９】
また、検索広告データベースは、広告主の商品データベースと連動してもよい。この場合、広告検収部は、商品データベースから広告に関連する商品に関する情報を抽出し、抽出された情報のうち、商品販売期間を、登録されたキーワードに対して設定された予想表示期間と比較して、広告の表示の可否を決定してもよい。
【００２０】
また、商品に関する情報は、ライク（ｌｉｋｅ）検索によって登録されたキーワードと商品の商品名または商品のモデル名とを比較して、商品データベースから抽出してもよい。
【００２１】
また、広告に関する情報は、広告に対する題名及び説明語句を少なくとも含んでもよく、広告主からさらに入力される文字列期間情報に基づいて、題名及び説明語句に含まれる少なくとも１つの文字列に対する予想表示期間を、さらに設定してもよい。この場合、広告検収部は、商品データベースから抽出された商品に関する情報のうち、商品販売期間と、少なくとも１つの文字列に対する予想表示期間とを比較して、少なくとも１つの文字列が題名及び説明語句に含まれるか否かをさらに決定してもよい。
【００２２】
また、表示可能なものとして決定された広告に関する情報と予想表示期間に関する情報とを広告表示サーバに伝えてもよく、予想表示期間に広告表示サーバに入力されたユーザの検索語と登録されたキーワードとが互いに対応する場合、広告に関する情報をユーザに表示してもよい。
【００２３】
また、本発明の一実施形態によれば、広告主の広告に関する情報と広告に対して登録されたキーワードとを互いに関連付けて検索広告データベースに格納及び保持するステップと、広告主から入力されたキーワードの期間情報に基づいて登録されたキーワードに対する予想表示期間を設定するステップと、広告と関連する商品の商品販売期間と設定された予想表示期間とを比較して広告の表示の可否を決定するステップとを含む検索広告予約表示方法を提供する。
【００２４】
また、本発明の一実施形態によれば、広告主の広告に関する情報、広告に対して登録されたキーワード、及び登録されたキーワードに対して設定された予想表示期間を互いに関連付けて格納及び保持する広告表示データベースと、ユーザから入力された検索語と対応するキーワード、及び検索語が入力された時刻に対応する予想表示期間と関連付けて格納された広告を、広告表示データベースから検索する広告検索部と、広告表示データベースから検索された広告をユーザに提供する広告提供部と含み、予想表示期間は、広告主によって広告登録サーバに入力されるキーワードの期間情報に基づいて広告登録サーバで設定されることを特徴とする検索広告予約表示システムを提供する。
【００２５】
また、本発明の一実施形態によれば、広告主の広告に関する情報、広告に対して登録されたキーワード、及び登録されたキーワードに対して設定された予想表示期間を互いに関連付けて広告表示データベースに格納及び保持するステップと、ユーザから入力された検索語と対応するキーワード及び検索語が入力された時刻に対応する予想表示期間と関連付けて格納された広告を広告表示データベースから検索するステップと、広告表示データベースから検索された広告をユーザに提供するステップとを含み、予想表示期間は、広告主によって広告登録サーバに入力されるキーワードの期間情報に基づいて広告登録サーバで設定されることを特徴とする検索広告予約表示方法を提供する。
【発明の効果】
【００２６】
本発明によれば、日別または時間別に実際販売する商品が変わる場合にも、効率的に、検索広告を提供することができる。
【００２７】
また、広告主がキーワードを登録する場合、キーワードの表示時間または広告の説明語句（Ｔｉｔｌｅ  ＆  Ｄｅｓｃｒｉｐｔｉｏｎ）内に含まれる特定語句の表示時間を設定することによって、効率的に、検索広告を提供することができる。
【００２８】
また、広告主がキーワードを登録する場合、特定日または特定時間単位で表示するキーワードや広告の説明語句内に含まれる特定語句が自動で変更されるように設定することによって、効率的に、検索広告を提供することができる。
【００２９】
また、広告主サイトの商品データベースと検索広告が登録される検索広告データベースを連動して、販売予定の商品に対するデータの商品データを手軽に更新して同時に予約表示時間が指定されたキーワードや広告の説明語句に対して表示可能期間と商品販売期間を互いに比較することによって、効率的に広告を検収することができる。
【図面の簡単な説明】
【００３０】
【図１】本発明の一実施形態において、広告主、広告プラットフォーム、パブリッシャ、及びユーザ間の関係を概略的に示す図である。
【図２】本発明の一実施形態において、広告登録サーバ、広告表示サーバ、及び広告主システム間の関係を示す図である。
【図３】本発明の一実施形態において、販売予定の商品に対応する広告に対する先検収結果の一例である。
【図４】本発明の一実施形態において、検索広告予約表示システムの内部構成の一例を説明するためのブロック図である。
【図５】本発明の一実施形態において、検索広告予約表示方法の一例を示すフローチャートである。
【図６】本発明の一実施形態において、検索広告予約表示システムの内部構成の他の例を説明するためのブロック図である。
【図７】本発明の一実施形態において、検索広告予約表示方法の他の例を示すフローチャートである。
【発明を実施するための形態】
【００３１】
以下、本発明の実施形態について添付の図面を参照しながら詳細に説明する。
【００３２】
図１は、本発明の一実施形態に係る広告主、広告プラットフォーム、パブリッシャ、及びユーザ間の関係を概略的に示す図である。すなわち、図１は、広告主１１０、広告プラットフォーム１２０、パブリッシャ１３０及びユーザ１４０を示している。ここで、広告主１１０とユーザ１４０とは、実質的には広告主１１０またはユーザ１４０が用いるパーソナルコンピュータ（ＰＣ）、スマートフォンなどの端末を意味する。したがって、図１における矢印は、広告主１１０が用いる端末、広告プラットフォーム１２０、パブリッシャ１３０、及びユーザ１４０が用いる端末間に有無線ネットワークを用いてデータが送受信される可能性があることを意味する。
【００３３】
広告プラットフォーム１２０は、広告主１１０の広告に対する入札、広告とキーワード間のマッチング、広告や広告主の整列、パブリッシャ１３０への広告提供、及び広告の表示に係る課金などを実行することができる。広告プラットフォーム１２０の一般的、技術的な事項に関して、インターネットを介して伝達される検索広告及び／またはバナー広告プラットフォームに関する従来技術を参照して理解できる事項の説明は、省略する。
【００３４】
本明細書で「パブリッシャ」という用語は「ウェブサイト」という用語に置き換えて用いてもよい。ただし、サイトという用語を用いた説明によって、モバイル端末で実行されるアプリケーション画面など、一般的なＰＣのウェブサイト接続でない環境において本発明が実施される可能性が、排除されることはない。逆に、「ウェブサイト」という用語は、パブリッシングウェブサイトまたは上述したパブリッシャという用語に置き換えて用いられてもよい。換言すれば、各々のウェブサイトは、個別のパブリッシャに対応してもよい。ここで、「ウェブサイト」という用語は、広告の表示が可能で有無線ネットワークを介してユーザに提供可能なすべての種類のウェブサイトを含んでもよく、ウェブサイトを構成する１つのウェブページを意味しても良い。
【００３５】
また、広告の「表示」は、ウェブサイト（パブリッシャ）を介してその広告主に関連するテキスト、イメージなど、声、動画、ハイパーリンクなどの広報性コンテンツが当該ウェブサイトの訪問者に提供されることを含むと、解釈されてもよい。また、表示した広告に対する「選択」は、ユーザ（ウェブサイト訪問者）に提供されたテキスト、イメージなどの広報性コンテンツに対して当該ユーザ（ウェブサイト訪問者）がマウスクリックなどの反応を示すことによって、広告主が広報性コンテンツの伝達によって達成しようとする状況が発生したことを意味する。ここで、広告主が広報性コンテンツの伝達によって達成しようとする状況とは、例えば、広告主と関連するページが広告を選択したユーザに表示されるという状況を、含んでもよい。
【００３６】
パブリッシャ１３０は、ユーザ１４０に自身のウェブサイトを提供してもよく、当該ウェブサイトを介して、当該ウェブサイトに含まれるページをユーザ１４０に提供したり、ウェブサイトを介して入力される検索語によって検索語に対する検索結果をユーザ１４０に提供したりしてもよい。ここで、パブリッシャ１３０は、ページを介して表示するための広告を広告プラットフォーム１２０から伝達されてユーザ１４０に提供してもよい。例えば、パブリッシャ１３０は、ユーザ１４０が入力したキーワードを広告プラットフォーム１２０に伝達してもよく、広告プラットフォーム１２０からキーワードに対する広告を伝達されて、検索結果としてユーザ１４０に提供してもよい。
【００３７】
パブリッシャ１３０は、ユーザ１４０に広告を直接提供する経路（画面）を、提供してもよい。例えば、一般的なオンライン環境において、広告は、ウェブサイトを介してユーザ１４０に提供されてもよい。ここで、広告プラットフォーム１２０が含む複数の個別広告プラットフォーム（第１広告プラットフォーム、第２広告プラットフォーム、・・・）の各々は、パブリッシャ１３０に含まれる複数の個別パブリッシャ（第１パブリッシャ、第２パブリッシャ、・・・）のうち少なくとも１つの個別パブリッシャを介して、広告を表示してもよい。また、複数の個別パブリッシャの各々は、ユーザ１４０に対して、少なくとも１つのウェブサイトを介して、統合検索、キーワード検索、ブログサービスなどのような有無線ネットワークを介して提供可能な多様なサービスのうち少なくとも１つに上述した広告の表示を含ませて、提供してもよい。
【００３８】
ここで、本発明の一実施形態に係る検索広告予約表示システムは、１つの個別広告プラットフォームのシステムに含まれるシステムであるか、または１つの個別広告プラットフォームのシステムと関連してデータを送受信する別のシステムであってもよい。また、本発明の他の実施形態に係る検索広告予約表示システムは、１つの個別パブリッシャのシステムに含まれるシステムであっても、１つの個別パブリッシャのシステムと関連してデータを送受信する別のシステムであってもよい。
【００３９】
図２は、本発明の一実施形態において、広告登録サーバ、広告表示サーバ、及び広告主システム間の関係を示す図である。図２は、広告登録サーバ２１０、広告表示サーバ２２０、及び広告主システム２３０を示しており、また、広告登録サーバ２１０によって制御可能な検索広告データベース２４０、広告表示サーバ２２０によって制御可能な広告表示データベース２５０、及び広告主システム２３０によって制御可能な商品データベース２６０を、各々示している。
【００４０】
広告登録サーバ２１０は、図１によって説明した１つの個別広告プラットフォームのシステムに含まれるシステムであっても、１つの個別広告プラットフォームのシステムと関連してデータを送受信する別のシステムであってもよく、広告表示サーバ２２０も、図１で説明した１つの個別パブリッシャのシステムに含まれるシステムであっても、１つの個別パブリッシャのシステムと関連してデータを送受信する別のシステムであってもよい。
【００４１】
すなわち、広告登録サーバ２１０は、広告主からキーワードの入力を受けて、広告に対する入札、広告とキーワード間のマッチング、広告や広告主の整列、広告表示サーバ２２０への広告提供、及び広告の表示に係る課金などを行ってもよく、広告表示サーバ２２０は、ユーザに検索語の入力と検索結果の表示のために運用されるウェブサイトを提供してもよく、ウェブサイトを介してユーザから入力される検索語に基づいて、当該検索語に対する検索結果をユーザに提供してもよい。例えば、広告表示サーバ２２０は、ユーザに広告を提供するための経路（画面）を提供してもよく、ウェブサイトを介して表示するための広告に関する情報を、広告登録サーバ２１０から受信して、ユーザに提供してもよい。
【００４２】
広告主システム２３０は、広告主が用いるＰＣ、スマートフォンなどの端末を意味する。広告主は、広告主システム２３０を介して、広告登録サーバ２１０にアクセスして、広告とキーワードなどを登録してもよい。
【００４３】
ここで、広告主は、日別または時間別に変わる商品を販売してもよい。すなわち、１つの広告が、何日間または数週間に亘って持続的に表示されるのではなく、商品別に製作された複数の広告が、日別または時間別に変化しながら表示されてもよい。例えば、ソーシャルコマースでは、複数の業者に対する広告が日別または時間別に表示される必要性がある。一例として、広告主が、今日は第１業者の「履き物」に対するクーポンを販売するが、明日は第２業者の「ドーナツ」に対するクーポンを販売するという販売形態を採ることもできる。
【００４４】
このために、本発明の実施形態では、販売予定の複数の商品と関連する広告、特にユーザの検索語によって表示される検索広告が、予め設定された予想表示期間に表示できるように制御してもよい。
【００４５】
まず、広告登録サーバ２１０は、下の表１に示した四種類の方法のうち少なくとも１つの方法を用いて、広告に関する情報やキーワードの入力を受けてデータベースに登録することによって、キーワード別の期間条件を広告表示に反映するようにしてもよい。
【００４６】
【表１】
0005551221.tif 000002
【００４７】
方法１は、キーワード別に予想表示期間を設定する方法である。例えば、広告主が登録したキーワード「ナイキ」に対して、広告主が当該キーワードと関連する広告を２０１１年８月１０日から１日間表示したい場合、広告主は、「＆ナイキ＆２０１１０８１０００００＆２０１１０８１０２３５９＆」のように、キーワードと共に広告表示のための開始時刻と終了時刻に関する情報のキーワードの期間情報を共に入力するようにしてもよい。ここで、広告登録サーバ２１０は、キーワードの期間情報を用いて、キーワード「ナイキ」に対する予想表示期間を設定してもよい。
【００４８】
この場合、広告表示サーバ２２０は、予想表示期間内にキーワード「ナイキ」に対応する検索語を入力したユーザに対して、当該キーワード「ナイキ」と関連して登録された広告主の広告を、検索結果に含めて提供する方法で、当該広告主の当該広告をユーザの端末の画面上に表示させてもよい。もし、広告主によって、２０１１年８月１１日から１日間に対するキーワード「アディダス」が登録されていれば、２０１１年８月１１日には、当該キーワード「アディダス」に対応する検索語を入力したユーザに対して、当該キーワード「アディダス」と関連して登録された広告主の広告が、提供されてもよい。すなわち、広告主が販売する商品が日別または時間別に変更される場合にも、キーワード別に予想表示期間が設定されるために、効率的に検索広告を提供できるようになる。
【００４９】
方法２は、題名及び説明語句（Ｔｉｔｌｅ ＆ Ｄｅｓｃｒｉｐｔｉｏｎ、Ｔ＆Ｄ）内に含まれる少なくとも１つの文字列に対して予想表示期間を設定する方法である。例えば、２０１１年８月１０日から１日間、題名及び説明語句に文字列「ナイキ」が含まれることを所望する広告主は、「正規商品＆ナイキ＆２０１１０８１０００００＆２０１１０８１０２３５９＆配送の早い所、最大５０％割引」のように、題名及び説明語句を入力してもよい。すなわち、上述した例のように、広告登録サーバ２１０は、開始時刻と終了時刻に関する情報の文字列期間情報と、追加するための文字列に関する情報とを、題名及び説明語句の登録時の題名及び説明語句内に共に入力してもよい。また、必要に応じて、広告登録サーバ２１０は、上述した例とは異なるように文字列期間情報と文字列に関する情報とを、題名及び説明語句とは別に、広告主から入力されてもよい。ここで、広告登録サーバ２１０は、文字列期間情報を用いて、文字列「ナイキ」に対する予想表示期間を設定してもよい。
【００５０】
この場合、広告表示サーバ２２０は、検索語を入力したユーザに広告主の広告を表示する時、予想表示期間内には「正規商品ナイキ配送の早い所、最大５０％割引」のような題名及び説明語句を、予想表示期間外には「正規商品配送の早い所、最大５０％割引」のような題名及び説明語句を、各々表示してもよい。
【００５１】
もし、広告主が２０１１年８月１０日から１日間は題名及び説明語句に文字列「ナイキ」が含まれ、２０１１年８月１０日から１日間は題名及び説明語句に文字列「アディダス」が含まれることを所望する場合、広告主は、題名及び説明語句を「正規商品＆ナイキ＆２０１１０８１０００００＆２０１１０８１０２３５９＆アディダス＆２０１１０８１１００００＆２０１１０８１１２３５９＆配送の早い所、最大５０％割引」のように、入力してもよい。ここで、広告登録サーバ２１０は、文字列「ナイキ」に対しては予想表示期間を２０１１年８月１０日に、文字列「アディダス」に対しては予想表示期間を２０１１年８月１１日に、各々設定してもよい。この場合、広告表示サーバ２２０は、対応する検索語を入力したユーザに対して、２０１１年８月１０日の１日間には「正規商品ナイキ配送の早い所、最大５０％割引」のように題名及び説明語句を提供してもよく、２０１１年８月１１日の１日間には「正規商品アディダス配送の早い所、最大５０％割引」のように題名及び説明語句を提供してもよい。
【００５２】
さらに、時間によって割引率が変更される場合、広告主は、「正規商品ナイキ配送の早い所、＆最大５０％割引＆２０１１０８１０００００＆２０１１０８１１２３５９＆最大３０％割引＆２０１１０８１０００００＆２０１１０８１１２３５９＆」のように、題名及び説明語句を入力してもよい。この場合、広告表示サーバ２２０は、対応する検索語を入力したユーザに対して、２０１１年８月１０日の１日間には「正規商品ナイキ配送の早い所、最大５０％割引」のような題名及び説明語句を提供してもよく、２０１１年８月１１日の１日間には「正規商品ナイキ配送の早い所、最大３０％割引」のような題名及び説明語句を提供してもよい。
【００５３】
方法３は、基準時刻から期間単位ごとに互いに異なるキーワードに対して予想表示期間を設定する方法である。例えば、広告主は、「％ｋｅｙｗｏｒｄ％＆２０１１０８１０００００＆１ｄａｙ＆」のように、基準時刻「２０１１０８１０００００」と期間単位「１ｄａｙ」とを、入力してもよい。この場合、広告登録サーバ２１０は、２０１１年８月１０日から毎日1日ごとの期間を、互いに異なるキーワードに対する予想表示期間として、設定してもよい。ここで、「ｋｅｙｗｏｒｄ」部分には、広告主によって登録されたキーワード３つがマッチングされるか、または広告主の商品データベースから抽出された商品の商品名またはモデル名で抽出されたキーワードが、マッチングされてもよい。
【００５４】
まず、広告主によって登録されたキーワード３つを用いる例を説明する。もし、広告主がキーワード「ナイキ」、「アディダス」及び「ノースペース」を登録したと仮定すると、広告登録サーバ２１０は、キーワード「ナイキ」に対する予想表示期間を２０１１年８月１０日に、キーワード「アディダス」に対する予想表示期間を２０１１年８月１１日に、キーワード「ノースペース」に対する予想表示期間を２０１１年８月１２日に、各々設定してもよい。ここで、広告表示サーバ２２０は、対応する検索語を入力したユーザに対して、２０１１年８月１０日にはキーワード「ナイキ」と関連する広告を、２０１１年８月１１日にはキーワード「アディダス」と関連する広告を、２０１１年８月１２日にはキーワード「ノースペース」と関連する広告を、各々提供してもよい。
【００５５】
他の例として、広告主の商品データベースから抽出された商品の商品名またはモデル名を用いる場合を、説明する。もし、広告主の商品データベースから抽出された商品の商品名が「ナイキマックスＴＲ２０」、「鴨名家Ａセット」、及び「ダンキンドーナツアメリカーノクーポン」であったと仮定すると、広告登録サーバ２１０は、このような商品名に基づいて、「ナイキ」、「鴨名家」、「ダンキンドーナツ」などのキーワードを抽出してもよい。ここで、抽出されたキーワードは、広告主によってすでに登録されたキーワードであってもよい。広告登録サーバ２１０は、各キーワードに対して予想表示期間を設定してもよく、広告表示サーバ２２０は、当該予想表示期間内に、対応する検索語を入力したユーザに対して、当該キーワードに対する広告を提供してもよい。
【００５６】
方法４は、基準時刻から単位期間ごとに、題名及び説明語句に含まれる互いに異なる文字列に対する予想表示期間を、夫々設定する方法である。例えば、広告主は、「正規商品％ｋｅｙｗｏｒｄ％＆２０１１０８１０００００＆１ｄａｙ＆配送の早い所、最大５０％割引」のように、基準時刻「２０１１０８１０００００」と期間単位「１ｄａｙ」とを、題名及び説明語句と共に入力してもよい。この場合、広告登録サーバ２１０は、２０１１年８月１０日から1日ごとに区切られる期間を、互いに異なる文字列に対する予想表示期間として、夫々設定してもよい。ここで、「ｋｅｙｗｏｒｄ」の部分には、広告主によって登録されたキーワード３つがマッチングされてもよく、広告主の商品データベースから抽出された商品の商品名またはモデル名がマッチングされてもよい。
【００５７】
まず、広告主によって登録されたキーワード３つを用いる例を説明する。もし、広告主がキーワード「ナイキ」、「アディダス」及び「ノースペース」を登録したと仮定すると、広告登録サーバ２１０は、キーワード「ナイキ」に対する予想表示期間を２０１１年８月１０日に、キーワード「アディダス」に対する予想表示期間を２０１１年８月１１日に、キーワード「ノースペース」に対する予想表示期間を２０１１年８月１２日に、各々設定してもよい。ここで、広告表示サーバ２２０は、対応する検索語を入力したユーザに対して、２０１１年８月１０日には「正規商品ナイキ配送の早い所、最大５０％割引」などの題名及び説明語句を、２０１１年８月１１日には「正規商品アディダス配送の早い所、最大５０％割引」などの題名及び説明語句を、２０１１年８月１２日には「正規商品ノースペース配送の早い所、最大５０％割引」などの題名及び説明語句を、各々提供してもよい。
【００５８】
他の例として、広告主の商品データベースから抽出された商品の商品名またはモデル名を用いる場合を説明する。もし、広告主の商品データベースから抽出された商品の商品名が「ナイキマックスＴＲ２０」、「アディダスＡＸ１Ｗ」及び「ノースペースＲｅｓｏｌｖｅ  Ｊａｃｋｅｔ」であったと仮定すると、広告登録サーバ２１０は、商品名「ナイキマックスＴＲ２０」に対する予想表示期間を２０１１年８月１０日に、商品名「アディダスＡＸ１Ｗ」に対する予想表示期間を２０１１年８月１１日に、商品名「ダンキンドーナツアメリカーノクーポン」に対する予想表示期間を２０１１年８月１２日に、各々設定してもよい。ここで、広告表示サーバ２２０は、対応する検索語を入力したユーザに対して、２０１１年８月１０日には「正規商品ナイキマックスＴＲ２０配送の早い所、最大５０％割引」などの題名及び説明語句を、２０１１年８月１１日には「正規商品アディダスＡＸ１Ｗ配送の早い所、最大５０％割引」などの題名及び説明語句を、２０１１年８月１２日には「正規商品ノースペースＲｅｓｏｌｖｅ  Ｊａｃｋｅｔ配送の早い所、最大５０％割引」などの題名及び説明語句を、各々提供してもよい。この場合も、商品名やモデル名に基づいて、キーワードを抽出して用いてもよい。
【００５９】
方法１から方法４にて説明した例は、本発明の理解を助けるためのものであり、本発明が上述した実施形態によって限定されることはない。例えば、キーワードの期間情報が、キーワードとは別に入力されてもよく、文字列期間情報及び文字列などが、題名及び説明語句とは別に入力されてもよい。また、特殊文字として利用された「＆」や「％」も、また、本発明の理解を助けるための例として用いられる。
【００６０】
広告登録サーバ２１０によって予想表示期間が設定されれば、広告登録サーバ２１０は、登録された予想表示期間を用いて、販売予定の商品に対する広告を検収してもよい。広告登録サーバ２１０によって制御される検索広告データベース２４０は、広告主システム２３０によって制御される商品データベース２６０と連動して、商品データベース２６０から伝達された商品に関する情報に基づいて、アップデートされてもよい。ここで、商品に関する情報は、少なくとも、商品が販売される期間である商品販売期間に関する情報を、含んでもよい。広告登録サーバ２１０は、予想表示期間と商品販売期間が一致して始めて広告の効果が極大化されるため、商品データベース２６０から抽出した商品の商品販売期間と設定された予想表示期間とを互いに比較して、表示する広告に対する先検収を実行することができる。ここで、検索広告データベース２４０と商品データベース２６０とは、データの正確性確保のためにＡＰＩ（Ａｐｐｌｉｃａｔｉｏｎ  ｐｒｏｇｒａｍｍｉｎｇ  ｉｎｔｅｒｆａｃｅ）を介して直接的に連動してもよい。広告登録サーバ２１０は、広告表示サーバ２２０に広告の表示可能状態を送信してもよく、広告表示サーバ２２０は、予約された日時または時間に広告を表示してもよい。また、広告主システム２３０は、商品の在庫減少の際に、広告表示サーバ２２０に広告の表示中断を要求してもよい。
【００６１】
図３は、本発明の一実施形態において、販売予定の商品に対応する広告に対する先検収結果の一例である。
【００６２】
第１テーブル３１０は、検収対象がキーワードである場合において、キーワードに対して設定された表示予約期間と商品販売期間とを比較した結果を以て、期間の一致及び不一致の有無を示している。ここで、期間が不一致なキーワードに対しては予想表示期間に関する情報などを提供する詳細確認機能が、提供されてもよい。
【００６３】
第２テーブル３２０は、検収対象が題名及び説明語句である場合において、入力された文字列に対して設定された表示予約期間と商品販売期間とを比較した結果を以て、期間の一致及び不一致の有無を示している。この場合にも、期間が不一致な文字列に対しては予想表示期間に関する情報などを提供する詳細確認機能が、提供されてもよい。また、題名及び説明語句内に割引などの特典情報が含まれる場合、含まれる特典情報が第２テーブル３２０示すように共に検収結果に表示されてもよい。
【００６４】
図４は、本発明の一実施形態に係る検索広告予約表示システムの内部構成の一例を説明するための、ブロック図である。本実施形態に係る検索広告予約表示システム４００は、図２で説明した広告登録サーバ２１０に、対応してもよい。検索広告予約表示システム４００は、図４に示すように、検索広告データベース４１０、予想表示期間設定部４２０、及び広告検収部４３０を、含んでもよい。
【００６５】
検索広告データベース４１０は、広告主の広告に関する情報と、広告に対して登録されたキーワードとを、互いに関連付けて、格納及び保持する。検索広告データベース４１０は、広告主の商品データベースと連動させてもよく、連動された商品データベースから商品に関する情報を受信してもよい。ここで、商品に関する情報には、商品に対する商品販売期間に関する情報が含まれてもよい。ここで、検索広告データベース４１０は、図２で説明した検索広告データベース２４０に対応してもよく、商品データベースも、また、図２で説明した商品データベース２６０に対応してもよい。
【００６６】
予想表示期間設定部４２０は、広告主から入力されたキーワードの期間情報に基づいて登録されたキーワードに対する予想表示期間を、設定する。
【００６７】
一例として、キーワードの期間情報は、登録されたキーワードと関連する広告の表示可能な期間の開始時刻及び終了時刻に関する情報を、含んでもよい。この場合、予想表示期間設定部４２０は、開始時刻及び終了時刻に基づいて登録されたキーワードに対する予想表示期間を、設定してもよい。
【００６８】
他の例として、キーワードの期間情報は、基準時刻及び期間単位に関する情報を、含んでもよい。この場合、予想表示期間設定部４２０は、基準時刻から期間単位ごとに順次決定される期間に対して、広告主によって登録された互いに異なるキーワードをマッチングして、互いに異なる各キーワードに対する予想表示期間を、設定してもよい。
【００６９】
また、前記広告に関する情報は、広告に対する題名及び説明語句を、少なくとも含んでもよい。この場合、予想表示期間設定部４２０は、広告主からさらに入力される文字列期間情報に基づいて、題名及び説明語句に含まれる少なくとも１つの文字列に対する予想表示期間を、さらに設定してもよい。ここで、当該「少なくとも１つの文字列」は、当該「少なくとも１つの文字列」に対して設定された予想表示期間に広告が表示されるとき、題名及び説明語句に含まれて共に表示されてもよい。
【００７０】
文字列期間情報は、少なくとも１つの文字列が表示可能な期間の開始時刻及び終了時刻に関する情報を、含んでもよい。この場合、予想表示期間設定部４２０は、開始時刻及び終了時刻によって設定される期間を、少なくとも１つの文字列に対する予想表示期間に設定してもよい。ここで、少なくとも１つの文字列は、文字列期間情報と共に、広告主によって入力されてもよい。
【００７１】
また、文字列期間情報は、基準時刻及び期間単位に関する情報を含んでもよい。この場合、予想表示期間設定部４２０は、基準時刻から前記期間単位ごとに順次決定される期間に対して、互いに異なるキーワードをマッチングして、前記少なくとも１つの文字列に対する予想表示期間を設定してもよい。ここで、互いに異なるキーワードは、広告主によって登録されたキーワードを含むか、広告主の商品データベースに含まれる商品の商品名またはモデル名を含むか、または商品名またはモデル名に含まれるキーワードを含んでもよい。
【００７２】
広告検収部４３０は、広告と関連する商品の商品販売期間と設定された予想表示期間とを比較して、広告の表示の可否を決定する。
【００７３】
すでに説明したように、検索広告データベースは、広告主の商品データベースと連動してもよい。ここで、広告検収部４３０は、商品データベースから広告と関連する商品に関する情報を抽出し、抽出された情報のうち商品販売期間を、当該広告に対して登録されたキーワードに対して設定された予想表示期間と比較して、広告の表示の可否を決定してもよい。この場合、前記商品に関する情報は、ライク検索によって登録されたキーワードと商品の商品名または商品のモデル名とを比較して商品データベースから抽出してもよい。
【００７４】
また、広告検収部４３０は、キーワードだけでなく文字列が題名及び説明語句に含まれるか否かをさらに決定してもよい。すなわち、すでに説明したように、広告に関する情報は、広告に対する題名及び説明語句を少なくとも含んでもよく、広告主からさらに入力される文字列期間情報に基づいて、当該題名及び説明語句に含まれる少なくとも１つの文字列に対する予想表示期間を、さらに設定してもよい。ここで、広告検収部４３０は、商品データベースから抽出された商品に関する情報のうち、商品販売期間と、少なくとも１つの文字列に対する予想表示期間とを比較して、少なくとも１つの文字列が題名及び説明語句に含まれるか否かを、さらに決定してもよい。
【００７５】
表示可能なものとして決定された広告に関する情報と、予想表示期間に関する情報とは、広告表示サーバに伝達されてもよく、予想表示期間に広告表示サーバに入力されたユーザの検索語と登録されたキーワードとが互いに対応する場合、広告に関する情報がユーザに対して表示されてもよい。ここで、広告表示サーバは、図２で説明した広告表示サーバ２２０に対応してもよい。
【００７６】
図５は、本発明の一実施形態において、検索広告予約表示方法の一例を示すフローチャートである。本実施形態に係る検索広告予約表示方法は、図４で説明した検索広告予約表示システム４００によって行われてもよい。
【００７７】
ステップＳ５１０において、検索広告予約表示システム４００は、広告主の広告に関する情報と広告に対して登録されたキーワードとを、互いに関連付けて、検索広告データベースに格納及び保持する。ここで、検索広告データベースは、広告主の商品データベースと連動されてもよく、連動された商品データベースから商品に関する情報を受信してもよい。ここで、商品に関する情報には、商品に対する商品販売期間に関する情報が含まれてもよい。ここで、検索広告データベースは、図２で説明した検索広告データベース２４０に対応してもよく、商品データベースも、また、図２で説明した商品データベース２６０に対応してもよい。
【００７８】
ステップＳ５２０において、検索広告予約表示システム４００は、広告主から入力されたキーワードの期間情報に基づいて登録されたキーワードに対する予想表示期間を、設定する。
【００７９】
一例として、キーワードの期間情報は、登録されたキーワードと関連する広告の表示可能な期間の開始時刻及び終了時刻に関する情報を、含んでもよい。この場合、検索広告予約表示システム４００は、開始時刻及び終了時刻に基づいて、登録されたキーワードに対する予想表示期間を設定してもよい。
【００８０】
他の例として、キーワードの期間情報は、基準時刻及び期間単位に関する情報を含んでもよい。この場合、検索広告予約表示システム４００は、基準時刻から期間単位ごとに順次決定される期間に対して広告主によって登録された互いに異なるキーワードをマッチングして、互いに異なる各キーワードに対する予想表示期間を設定してもよい。
【００８１】
また、前記広告に関する情報は、広告に対する題名及び説明語句を少なくとも含んでもよい。この場合、検索広告予約表示システム４００は、広告主からさらに入力される文字列期間情報に基づいて題名及び説明語句に含まれる少なくとも１つの文字列に対する予想表示期間を、さらに設定してもよい。ここで、少なくとも１つの文字列は、少なくとも１つの文字列に対して設定された予想表示期間に広告が表示されるとき、題名及び説明語句に含まれて、共に表示されてもよい。
【００８２】
文字列期間情報は、少なくとも１つの文字列が表示可能な期間の開始時刻及び終了時刻に関する情報を、含んでもよい。この場合、検索広告予約表示システム４００は、開始時刻及び終了時刻によって設定される期間を、少なくとも１つの文字列に対する予想表示期間に設定してもよい。ここで、少なくとも１つの文字列は、文字列期間情報と共に、広告主によって入力されてもよい。
【００８３】
また、文字列期間情報は、基準時刻及び期間単位に関する情報を含んでもよい。この場合、検索広告予約表示システム４００は、基準時刻から前記期間単位ごとに順次決定される期間に対して互いに異なるキーワードをマッチングして、前記少なくとも１つの文字列に対する予想表示期間を設定してもよい。ここで、互いに異なるキーワードは、広告主によって登録されたキーワードを含むか、広告主の商品データベースに含まれる商品の商品名またはモデル名を含むか、または商品名またはモデル名に含まれるキーワードを含んでもよい。
【００８４】
ステップＳ５３０において、検索広告予約表示システム４００は、広告と関連する商品の商品販売期間と設定された予想表示期間とを比較して、広告の表示の可否を決定する。
【００８５】
すでに説明したように、検索広告データベースは、広告主の商品データベースと連動されてもよい。ここで、検索広告予約表示システム４００は、商品データベースから広告と関連する商品に関する情報を抽出し、抽出された情報のうち商品販売期間を、当該広告に対して登録されたキーワードに対して設定された予想表示期間と比較して、広告の表示の可否を決定してもよい。この場合、前記商品に関する情報は、ライク検索によって登録されたキーワードと商品の商品名または商品のモデル名との比較結果に基づいて、商品データベースから抽出されてもよい。
【００８６】
また、検索広告予約表示システム４００は、キーワードだけでなく文字列が題名及び説明語句に含まれるか否かをさらに決定してもよい。すなわち、すでに説明したように広告に関する情報は、広告に対する題名及び説明語句を少なくとも含んでもよく、広告主によってさらに入力される文字列期間情報に基づいて、題名及び説明語句に含まれる少なくとも１つの文字列に対する予想表示期間を、さらに設定してもよい。ここで、検索広告予約表示システム４００は、商品データベースから抽出された商品に関する情報のうち、商品販売期間と、少なくとも１つの文字列に対する予想表示期間とを比較して、少なくとも１つの文字列が題名及び説明語句に含まれるか否かをさらに決定してもよい。
【００８７】
表示可能なものとして決定された広告に関する情報と予想表示期間に関する情報とは、広告表示サーバに伝達されてもよく、予想表示期間に広告表示サーバに入力されたユーザの検索語と登録されたキーワードとが互いに対応する場合、広告に関する情報をユーザに表示されてもよい。ここで、広告表示サーバは、図２で説明した広告表示サーバ２２０に対応してもよい。
【００８８】
図６は、本発明の一実施形態において、検索広告予約表示システムの内部構成の他の例を説明するためのブロック図である。本実施形態に係る検索広告予約表示システム６００は、図２で説明した広告表示サーバ２２０に対応してもよい。検索広告予約表示システム６００は、図６に示すように広告表示データベース６１０、広告検索部６２０、及び広告提供部６３０を含んでもよい。
【００８９】
広告表示データベース６１０は、広告主の広告に関する情報、広告に対して登録されたキーワード、及び登録されたキーワードに対して設定された予想表示期間を、互いに関連付けて、格納及び保持する。ここで、互いに関連付けられた広告に関する情報、登録されたキーワードに関する情報及び予想表示期間に関する情報は、広告登録サーバの検索広告データベースとの連動によって受信してもよい。ここで、広告登録サーバは、図２で説明した広告登録サーバ２１０または図４で説明した検索広告予約表示システム４００に、対応してもよい。
【００９０】
ここで、予想表示期間は、広告主によって広告登録サーバに入力されるキーワードの期間情報に基づいて、広告登録サーバにおいて設定される。一例として、予想表示期間は、キーワードの期間情報が含む開始時刻及び終了時刻に基づいて、広告登録サーバで登録されたキーワードに対して設定されてもよい。他の例として、予想表示期間は、キーワードの期間情報が含む基準時刻及び期間単位によって基準時刻から期間単位ごとに順次決定される期間に対して、広告主によって登録された互いに異なるキーワードをマッチングすることによって、設定されてもよい。
【００９１】
また、広告に関する情報は、広告に対する題名及び説明語句を、少なくとも含んでもよい。この場合、予想表示期間は、広告主によって広告登録サーバに入力される文字列期間情報に基づいて、広告登録サーバにおいて、題名及び説明語句に含まれる少なくとも１つの文字列に対して設定されてもよい。少なくとも１つの文字列は、検索された広告がユーザに提供される時、題名及び説明語句に含まれて、共に表示されてもよい。
【００９２】
一例として、文字列期間情報は、前記少なくとも１つの文字列が表示可能な期間の開始時刻及び終了時刻に関する情報を、含んでもよい。ここで、予想表示期間は、開始時刻及び終了時刻によって設定される期間で少なくとも１つの文字列に対して設定されてもよい。少なくとも１つの文字列は、文字列期間情報と共に、広告主によって入力されてもよい。
【００９３】
他の例として、文字列期間情報は、基準時刻及び期間単位に関する情報を含んでもよい。この場合、予想表示期間は、基準時刻から期間単位ごとに順次決定される期間に対して、互いに異なるキーワードをマッチングして、少なくとも１つの文字列に対して設定されてもよい。ここで、互いに異なるキーワードは、広告主によって登録されたキーワードを含むか、広告主の商品データベースに含まれる商品の商品名またはモデル名を含むか、または商品名またはモデル名に含まれるキーワードを含んでもよい。
【００９４】
また、広告登録サーバが含む検索広告データベースは、広告主の商品データベースと連動してもよい。ここで、広告登録サーバにおいて、商品データベースから広告と関連する商品に関する情報が抽出され、抽出された情報のうち、商品販売期間を、登録されたキーワードに対して設定された予想表示期間と比較して、広告の表示の可否を決定してもよい。ここで、検索広告予約表示システム６００は、広告登録サーバから広告の表示可能か否かに関する情報を受信して、当該広告の表示をするか否かを決定してもよい。ここで、商品に関する情報は、ライク検索によって登録されたキーワードと商品の商品名または商品のモデル名との比較結果に基づいて、商品データベースから抽出されてもよい。
【００９５】
さらに、すでに説明したように、広告に関する情報は、広告に対する題名及び説明語句を少なくとも含み、広告主によって広告登録サーバに入力される文字列期間情報に基づいて題名及び説明語句に含まれる少なくとも１つの文字列に対する予想表示期間をさらに設定してもよい。ここで、広告登録サーバにおいて、商品データベースから抽出された商品に関する情報のうち、商品販売期間と、少なくとも１つの文字列に対する予想表示期間とを比較して、少なくとも１つの文字列が題名及び説明語句に含まれるか否かをさらに決定してもよい。すなわち、検索広告予約表示システム６００は、広告登録サーバから、少なくとも１つの文字列が題名及び説明語句に含まれるかに関する情報を受信して、当該文字列の題名及び説明語句へ追加するか否かを決定してもよい。
【００９６】
広告検索部６２０は、ユーザから入力された検索語と対応するキーワード及び検索語が入力された時刻に対応する予想表示期間と関連付けて格納された広告を、広告表示データベースから検索する。すなわち、キーワードに対する予想表示期間が設定された場合、当該キーワードと関連する広告は、設定された予想表示期間の間だけ、広告表示データベースから検索されてもよい。
【００９７】
広告提供部６３０は、広告表示データベースから検索された広告をユーザに提供する。したがって、広告主は、検索広告に対しても広告が表示する期間を効率的に設定することができ、広告登録サーバで広告に対する先検収が行われるため広告登録サーバの検索広告データベースと広告表示データベースを連動することによって、より正確な広告の表示が可能になる。
【００９８】
図７は、本発明の一実施形態において、検索広告予約表示方法の他の例を示すフローチャートである。本実施形態に係る検索広告予約表示方法は、図６で説明した検索広告予約表示システム６００を用いて、実施することができる。
【００９９】
ステップＳ７１０において、検索広告予約表示システム６００は、広告主の広告に関する情報、広告に対して登録されたキーワード、及び登録されたキーワードに対して設定された予想表示期間とを、互いに関連付けて、格納及び保持する。ここで、互いに関連付けられた広告に関する情報、登録されたキーワードに関する情報、及び予想表示期間に関する情報は、広告登録サーバの検索広告データベースとの連動によって、受信されてもよい。ここで、広告登録サーバは、図２で説明した広告登録サーバ２１０または図４で説明した検索広告予約表示システム４００に、対応してもよい。
【０１００】
ここで、予想表示期間は、広告主によって広告登録サーバに入力されるキーワードの期間情報に基づいて、広告登録サーバにおいて、設定される。一例として、予想表示期間は、キーワードの期間情報が含む開始時刻及び終了時刻に基づいて、広告登録サーバにおいて登録されたキーワードに対して設定されてもよい。他の例として、予想表示期間は、キーワードの期間情報が含む基準時刻及び期間単位に基づいて基準時刻から期間単位ごとに順次決定される各期間に対して、広告主によって登録された互いに異なるキーワードをマッチングすることによって、設定されてもよい。
【０１０１】
また、広告に関する情報は、広告に対する題名及び説明語句を少なくとも含んでもよい。この場合、予想表示期間は、広告主によって広告登録サーバに入力される文字列期間情報に基づいて、広告登録サーバで題名及び説明語句に含まれる少なくとも１つの文字列に対して、設定されてもよい。少なくとも１つの文字列は、検索された広告がユーザに提供される時、題名及び説明語句に含まれて共に表示されてもよい。
【０１０２】
一例として、文字列期間情報は、前記少なくとも１つの文字列が表示可能な期間の開始時刻及び終了時刻に関する情報を、含んでもよい。ここで、予想表示期間は、開始時刻及び終了時刻によって設定される期間であり、少なくとも１つの文字列に対して設定されてもよい。少なくとも１つの文字列は、文字列期間情報と共に広告主から入力されてもよい。
【０１０３】
他の例として、文字列期間情報は、基準時刻及び期間単位に関する情報を含んでもよい。この場合、予想表示期間は、基準時刻から期間単位ごとに順次決定される各期間に対して、互いに異なるキーワードをマッチングして、少なくとも１つの文字列に対して設定されてもよい。ここで、互いに異なるキーワードは、広告主によって登録されたキーワードを含んでもよく、広告主の商品データベースに含まれる商品の商品名またはモデル名を含んでもよく、または商品名またはモデル名に含まれるキーワードを含んでもよい。
【０１０４】
また、広告登録サーバが含む検索広告データベースは、広告主の商品データベースと連動してもよい。ここで、広告登録サーバにおいて、商品データベースから広告と関連する商品に関する情報が抽出され、抽出された情報のうち、商品販売期間と登録されたキーワードに対して設定された予想表示期間とを比較して、広告の表示の可否を決定してもよい。ここで、検索広告予約表示システム６００は、広告登録サーバから広告の表示の可否に関する情報を受信して、当該広告を表示するか否かを決定してもよい。ここで、商品に関する情報は、ライク検索によって登録されたキーワードと商品の商品名または商品のモデル名との比較結果に基づいて、商品データベースから抽出されてもよい。
【０１０５】
さらに、すでに説明したように、広告に関する情報は、広告に対する題名及び説明語句を少なくとも含み、広告主によって広告登録サーバに入力される文字列期間情報に基づいて設定された題名及び説明語句に含まれる少なくとも１つの文字列に対する予想表示期間を、さらに含んでもよい。ここで、広告登録サーバにおいて、商品データベースから抽出された商品に関する情報のうち、商品販売期間と、少なくとも１つの文字列に対する予想表示期間とを比較して、少なくとも１つの文字列が題名及び説明語句に含まれるか否かを、さらに決定してもよい。すなわち、検索広告予約表示システム６００は、広告登録サーバから少なくとも１つの文字列が題名及び説明語句に含まれるかに関する情報を受信して、当該文字列の題名及び説明語句へ追加するか否かを決定してもよい。
【０１０６】
ステップＳ７２０において、検索広告予約表示システム６００は、ユーザから入力された検索語と対応するキーワード及び検索語が入力された時刻に対応する予想表示期間と関連付けて格納された広告を広告表示データベースから検索する。すなわち、キーワードに対する予想表示期間が設定された場合、当該キーワードと関連する広告は、設定された予想表示期間にのみ、広告表示データベースから検索されてもよい。
【０１０７】
ステップＳ７３０において、検索広告予約表示システム６００は、広告表示データベースから検索された広告をユーザに提供する。したがって、広告主は、検索広告に対しても広告が表示する期間を効率的に設定することができ、広告登録サーバで広告に対する先検収が行われるため、広告登録サーバの検索広告データベースと広告表示データベースを連動することによって、より正確な広告の表示が可能になる。
【０１０８】
このように、本発明の実施形態によれば、日別または時間別に実際販売する商品が変わる場合にも効率的に検索広告を提供することができ、広告主がキーワードを登録する場合、キーワードの表示時間または広告の説明語句内に含まれる特定語句の表示時間を設定することによって、効率的に検索広告を提供することができる。また、広告主がキーワードを登録する場合、特定日または特定時間単位で表示するキーワードや広告の説明語句内に含まれる特定語句が自動で変更されるように設定することによって、効率的に検索広告を提供することができ、広告主サイトの商品データベースと検索広告が登録される検索広告データベースとを連動して、販売予定の商品の商品データを手軽に更新して、同時に、予約表示時間が指定されたキーワードや広告の説明語句に対して表示可能期間と商品販売期間を互いに比較することによって、効率的に広告を検収することができる。
【０１０９】
本発明の実施形態に係る方法は、多様なコンピュータ手段によって行うことができるプログラム命令の形態で実現されても良く、かかるプログラム命令は、コンピュータ読み出し可能媒体に記録されてもよい。前記記録媒体は、プログラム命令、データファイル、データ構造などを単独または組み合わせたものを含んでもよい。前記記録媒体及びプログラム命令は、本発明の目的のために特別に設計して構成されたものでもよく、コンピュータソフトウェア分野の技術を有する当業者にとって公知のものであり使用可能なものであってもよい。
【０１１０】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【０１１１】
したがって、本発明の範囲は、開示された実施形態に限定されて定められるものではなく、特許請求の範囲及び特許請求の範囲と均等なものなどによって定められるものである。
【符号の説明】
【０１１２】
２１０：広告登録システム
２２０：広告表示システム
２３０：広告主システム
２４０：検索広告データベース
２５０：広告表示データベース
２６０：商品データベース
【図１】
0005551221.tif 000003
【図２】
0005551221.tif 000004
【図３】
0005551221.tif 000005
【図４】
0005551221.tif 000006
【図５】
0005551221.tif 000007
【図６】
0005551221.tif 000008
【図７】
0005551221.tif 000009